(57)【要約】周囲環境エネルギの受信および変調を使用した広帯域全受動通信システムおよび方法を提供する。受動通信システムは、広帯域アンテナ回路を備えた装置を有し、周囲放射線を受け、そこからのエネルギを用いて、好ましくは後方散乱技法を用い変調信号を反射し、当該システム内の装置間でデータの書き込みや読み取りを行うように構成されている。
2005536918.tif 000002
【特許請求の範囲】
【請求項１】
アンテナに結合され、広帯域周囲放射線を受け反射する受動受信機を備えており、該受信機およびアンテナが、受けた周囲放射線を変調して変調信号を形成し、該変調信号を後方散乱送信によって送信するように構成されている、通信装置。
【請求項２】
周囲放射線を受けるように構成されている第１広帯域アンテナと、周囲放射線を受けるように構成されている第２アンテナと、前記第１および第２アンテナからのそれぞれの出力を供給される第１および第２入力を有するミキサとを有し、前記第２アンテナからの出力を、前記第１アンテナからの出力に対して、比較および変調信号の抽出のため、前記ミキサにおいて遅延させるようにした受動受信機を備えた、通信装置。
【請求項３】
請求項２記載の装置において、前記第１アンテナは第１偏波を有し、前記第２アンテナは第２偏波を有する、装置。
【請求項４】
請求項２記載の装置において、前記第１および第２アンテナは、同一であり、同じ方向に向けられている、装置。
【請求項５】
請求項２記載の装置において、前記第２アンテナは、前記周囲放射線における変調信号の検出を増強するために、方向選択性を有するように構成されている、装置。
【請求項６】
周囲放射線を受けるように構成されている広帯域アンテナと、第２アンテナからの入力を模擬するように構成されているサーキュレータ回路と、第２アンテナからの出力を受けるように構成されているミキサと、前記アンテナおよび前記サーキュレータからの出力を受け、そこから変調信号を抽出するように構成されているミキサとを有する受動受信機を備えた、通信装置。
【請求項７】
通信システムであって、
アンテナを有し、周囲エネルギを受け、該受けた周囲エネルギを変調して変調信号を形成し、前記アンテナを通じて前記変調信号を後方散乱送信によって送信するように構成されている第１受動受信機と、
前記周囲エネルギを前記変調信号と共に受け、前記周囲エネルギから前記変調信号を抽出するように構成されているアンテナ回路を有する第２受動受信機と、
を備えた、通信システム。
【請求項８】
請求項７記載のシステムにおいて、前記第２受動受信機の前記アンテナ回路は、第１アンテナと第２アンテナとを備えており、前記第２アンテナが、前記変調信号の受信および検出を増強するために方向選択性を有する、システム。
【請求項９】
請求項７記載のシステムにおいて、前記第２受動受信機の前記アンテナ回路は、第１偏波アンテナと第２偏波アンテナとを備えており、前記第１偏波アンテナは、前記第２アンテナの偏波とは逆の偏波を有し、前記第１受動受信機の前記アンテナは、前記第２受動受信機の前記第２アンテナの偏波を有する偏波アンテナを備えた、システム。
【請求項１０】
請求項７記載のシステムにおいて、前記第２受動受信機は、ＣＤＭＡを使用して、前記アンテナ回路において受けた多数の変調信号を同時にデコードするように構成されている、システム。
【請求項１１】
通信システムであって、
広帯域アンテナ回路を有し、広帯域無線周波数放射線を受け、該受けた無線周波数放射線からのエネルギを利用して、変調信号を反射するように構成されている第１受動装置と、
前記広帯域周囲エネルギを受け、そこから前記変調信号を抽出するように構成されている、第２受動装置と、
を備えた、通信システム。
【請求項１２】
請求項１１記載のシステムにおいて、前記第２受動装置は、ミキサに結合された第１および第２アンテナを備えており、前記第２アンテナは、遅延回路を介して前記ミキサに結合されており、該ミキサは、前記第１および第２アンテナにおいて受けた信号を比較し、前記変調信号をそこから抽出するように構成されている、システム。
【請求項１３】
通信方法であって、
広帯域アンテナ回路を有する第１受動装置において周囲放射線を受け、前記広帯域アンテナ回路が前記受けた周囲放射線からのエネルギを受け取りこれを利用して、変調信号を後方散乱送信によって反射する、ステップと、
第２受動装置において、無線周波数送信の広帯域から前記周囲放射線を受けるステップと、
前記受けた周囲放射線からのエネルギを使用して、その中の前記変調信号を検出するステップと、
を備えた、方法。
【請求項１４】
通信方法であって、
広帯域アンテナ回路を有する第１受動装置において周囲放射線を受け、該受けた放射線からのエネルギを利用して、変調信号を反射するステップと、
第２受動装置において、前記周囲放射線と前記変調信号とを受け、前記受けた周囲放射線からのエネルギを使用して、そこから前記変調信号を抽出するステップと、
前記第２受動装置から前記第１受動装置への後方散乱送信のため、前記周囲放射線から受けたエネルギを使用して、そこから更に別の変調信号を発生するステップと、
を備えた、方法。
【請求項１５】
全スペクトル受動通信システムであって、
広帯域アンテナに結合され、周囲放射線を受け、それに応答して変調信号を反射するように構成されている受動変調回路を備えた第１受動通信装置と、
周囲放射線を受けるように構成されている第１アンテナ回路と、周囲放射線を受けるように構成されている第２アンテナ回路とに結合された検出回路を備えた第２受動通信装置であって、前記検出回路が、前記第１および第２アンテナ回路において受けた信号を比較して、前記変調信号を抽出するように構成されている、第２受動通信装置と、
を備えた、全スペクトル受動通信システム。
【請求項１６】
請求項１５記載のシステムにおいて、前記検出回路は、前記第１および第２アンテナ回路に結合されたミキサと、該ミキサと前記第２アンテナ回路との間に結合された遅延回路とを備えた、システム。
【請求項１７】
請求項１５記載のシステムにおいて、前記第１および第２アンテナ回路は、逆の偏波を有するように極性が付与されている、システム。
【請求項１８】
請求項１５記載のシステムにおいて、前記第１受動通信装置の前記広帯域アンテナは、前記第２受動通信装置の前記第１および第２アンテナ回路の一方の偏波と一致するように極性が付与されている、システム。
【請求項１９】
請求項１５記載のシステムにおいて、前記第１および第２アンテナ回路は、方向選択性を有するように構成されている、システム。
【発明の詳細な説明】
【技術分野】
【０００１】
本発明は、後方散乱技術に基づく通信に関し、更に特定すれば、周囲環境エネルギの受信および変調を使用した、広帯域全受動通信システムおよび方法に関する。
【背景技術】
【０００２】
受動（無給電）装置を使用し、受動装置によって質問信号を変調して反射する通信は公知である。この形態の通信には、無線周波数識別（ＲＦＩＤ）および自動識別技術において、後方散乱通信を使用している例がある。
【０００３】
後方散乱通信には、受信信号を選択的に変更し反射することを伴う。例えば、目標物のレーダ断面(radar cross-section)を変調することによって、エネルギが目標物で反射され、その位相または振幅変調に情報が含まれる。反射エネルギを受けるユニットは、通例「リーダ」と呼ばれており、この通信に必要な元のエネルギを常に供給しており、受けた反射信号を元の質問信号と比較することによって、信号内のデータを抽出するように構成されている。
【０００４】
これに類似したものとして、フラッシュライトの形態をなすリーダは、その光ビームの照準を、ミラーを有する人にあてる。ミラーを有する個人は、選択的にフラッシュライトのビームをフラッシュライトに向けて反射し返し始める。選択的反射は、ディジタル的に、即ち、オフおよびオンで行うことができる。これによって、ミラーを保持している人は、追加のエネルギを発生する必要なく通信することが可能となる。
【０００５】
ＲＦＩＤ技術では、市販の後方散乱通信システムはマイクロ波周波数を利用している。この技術は、数十年にわたって利用されてきており、「タグ」と呼ばれる目標物を使用して、識別の目的のための質問信号に応答する。
【０００６】
更に具体的には、一例として図１を参照すると、３つの構成要素を含む基本的なＲＦＩＤシステム１０が示されており、アンテナ１２、デコーダを有するトランシーバ１４、およびそれ自体のアンテナ１８を有する応答機即ちタグ１６を含む。動作において、トランシーバ１４は電磁無線信号２２を発生し、アンテナ１２によって発信し、タグ１６が受ける。タグ１６がこの信号によって活性化されると、データをタグ１６から読み取るか、またはデータをタグ１６に書き込むことができる。
【０００７】
ある種の用途では、トランシーバのアンテナ１２は、トランシーバおよびデコーダ１４の構成要素であり、それを質問機２０（またはリーダ）とし、更にハンド・ヘルド機器または固定装着機器のいずれかとして構成することができる。質問機２０は、１インチから１００フィート以上の範囲の無線信号２２を、その電力入力および使用する無線周波数に応じて発信する。ＲＦタグ１６が無線信号２２を通過すると、タグ１６は信号２２を検出し、活性化される。次いで、タグ１６内にエンコードされているデータが、反射を通じて、変調信号２４によって、タグ１６内のアンテナ１８を介して、そして質問機２０に送信され、後続の処理が行われる。
【０００８】
質問信号によって給電を受けるＲＦＩＤタグは、受動装置と呼ばれることが多い。何故なら、これらは動作に必要なエネルギを、それに向けて送られる無線周波数エネルギから得るからである。タグは、電界を整流し、タグ・アンテナの反射特性を動的に変化させて反射率の変化を発生させ、これを質問機が検出する。対照的に、バッテリ給電型の半受動ＲＦＩＤタグは、同様に動作し、そのＲＦ断面(RF cross-section)を変調して、デルタを質問機に反射して、通信リンクを形成する。ここで、バッテリは、タグの動作電力源となる。能動ＲＦＩＤタグでは、送信機を使用して、バッテリによって給電されるそれ自体の無線周波数エネルギを作り出す。
【発明の開示】
【発明が解決しようとする課題】
【０００９】
従来の連続波後方散乱ＲＦタグ・システムは、受動（バッテリ無し）ＲＦタグを利用しており、質問機２０に返送する信号を変調するために使用されているタグの内部回路に給電するためには、信号２２からの適当な電力を必要とする。システムの性能を最大限発揮するには、信号２２からのこのエネルギの効率的な収集が必要である。所望の周波数におけるアンテナ回路構成部品のインピーダンス整合は、効率を最適化する１つの方法である。しかしながら、ＲＦＩＤタグ・システムのサイズおよび性能の制約によって、既存のインピーダンス整合設計は実現が不可能となっている。別の欠点は、ＲＦ信号における信号電力およびデータ流に賦課される、政府の規制による制約である。
【課題を解決するための手段】
【００１０】
開示する本発明の実施形態は、周囲の放射線から通信エネルギを得る受動通信を対象とする。この装置は、ビーム、バッテリ、または外部で給電することができる。一実施形態において提供する受動通信装置は、電磁エネルギまたは無線周波数エネルギのような周囲放射線を受け、このエネルギを好ましくはディジタル的に選択的に吸収するかあるいは位相変調し、変調信号を形成して後方散乱送信の形態でアンテナを通じて反射させる。
【００１１】
本発明の別の実施形態によれば、第２の通信装置が提供され、これは周囲放射線を受け、第１装置からの後方散乱送信を受け、変調信号を検出するように構成されているアンテナ回路を有する。本発明のこの実施形態の一形態によれば、検出を行うには、第２アンテナ上で受けた信号を遅延させ、遅延信号を第１信号と比較して変調信号を抽出する、即ち、取り出す。本発明のこの実施形態の別の形態によれば、第２アンテナの方向または偏波選択性を使用して、変調信号の検出を容易にすることができる。
【００１２】
前述の実施形態の更に別の形態によれば、後方散乱通信の読み取りは、周囲照明(ambient illumination)とは対照的に、広帯域照明を使用して行う。
本発明のこの実施形態の更に別の形態によれば、符号分割多元接続（ＣＤＭＡ）技法を用いて、多数の通信装置、理想的には周囲照明によって給電を受ける通信装置の全てから受ける多数の変調信号を同時にデコードする。
【００１３】
本発明の方法によれば、通信技法が提供され、周囲放射線を選択的に吸収または位相修正し、変調信号を後方散乱送信によって反射するように構成されている広帯域アンテナ回路を有する第１受動装置において周囲放射線を受けるステップと、第２装置において周囲放射線を受け、周囲放射線を利用して、変調信号と周囲放射線との比較のための電力を含む、電力を得て、変調信号を検出しデコードするステップとを含む。
【００１４】
本発明の前述のおよびその他の特徴や利点は、添付図面と関連付けた以下の詳細な説明から、これらを一層深く理解することにより、一層容易に認められよう。
【発明を実施するための最良の形態】
【００１５】
次に図２を参照すると、本発明に独特な逆変調技法(inverse modulation technique)にしたがって構成した全スペクトル受動通信システム３０が示されている。
逆変調は、先に説明したように、後方散乱通信の技術を利用する。従来の後方散乱通信では、通信リンクの一端が「タグ」で構成され、その反射特性における変化を制御しその変化に基づいて、リーダまで戻るリンクを形成する。従来の手法を用いると、リーダがエネルギをタグに発射し、この目的のためにエネルギを利用することができる。これと比較して、逆変調技法では、「タグ」は、この場合、変調された周囲エネルギを別の通信装置に反射するように構成されている。変調された周囲エネルギとは、共通のラジオまたはＴＶ局の信号、セル・ホーンの信号、またはタグに入射するあらゆるＲＦエネルギとすることができる。
【００１６】
第２の通信装置は、周囲の放射線における変調を検知し、そこから情報を抽出するように構成されている。また、タグは、第１の通信装置即ちタグにも同様に返信するように構成することもできる。この意味では、通信システムには実際のタグやリーダはなく、単に２つのリンクがあるだけである。この独特な通信システムの基本的な特徴は、通信リンクを確立するためには、新たなＲＦエネルギもマイクロ波エネルギも、またはバッテリやその他の電源からのエネルギも、または発生した質問信号からのエネルギも不要であることにある。
【００１７】
図２を参照すると、システム３０の代表的な実施形態が示されており、変調回路３６に結合されたアンテナ３４を有する第１通信装置３２を含む。理想的には、アンテナ３４は、ラジオまたはＴＶ局からの周囲放射線３５、セル・ホーン信号、または第１装置３２に入射するあらゆる無線周波数エネルギを受けるように構成された広帯域アンテナである。この受けた周囲エネルギ３５の変調は、周囲エネルギの選択的な吸収または位相変化によってディジタル的に行われる。これによって、ディジタル形態の変調信号３８が形成される。この変調信号３８は、次に、後方散乱送信を用いてアンテナ３４によって送信される。
【００１８】
第２の通信装置４０も設けられており、これは、ミキサ４６に結合されている第１アンテナ４２および第２アンテナ４４を含み、ミキサ４６の出力は、出力増幅器４８に結合されている。一実施形態では、増幅器５０が第１アンテナ４２をミキサ４６に結合し、第２増幅器５２が第２アンテナ４４をミキサ４６に結合する。この実施形態における両アンテナは、周囲放射線を受けるように構成され、第２アンテナ４４上で受けた信号は、ミキサ４６を通過して、遅延回路４５によって遅延される。この遅延によって、第１および第２アンテナ４２、４４上で受けた信号間の比較、および変調信号３８の抽出のための枠が設けられる。変調信号は、次に、出力増幅器４８を通じて出力される。周囲エネルギは常に変化しつつあり、したがって遅延の期間は、周囲エネルギの比較を可能にするためには、十分に小さな枠を設けるようにしなければならない。また、変調も、遅延枠内に収まるように、短くしなければならない。しかしながら、高いデータ送信速度を達成することができる。
【００１９】
図２は、左回り円偏波となるように構成された第１アンテナ４２と、右回り円偏波となる第２アンテナ４４も示す。加えて、第１の通信装置３２のアンテナ３４は、右回り円偏波である。周囲ノイズは十分短い時間期間の間不変であるという原理を用い、このノイズは循環方向にランダムに偏波されるという原理を用いて、更に広帯域アンテナを使用して、基準信号を特定のタグの後方散乱送信に対する応答性が高い同様の信号源と混合する。したがって、第２アンテナ４４は、第１装置３２上のアンテナ３４の偏波と一致するように極性が付与されている。極性付与は、周囲エネルギから変調信号を判別する際に役立つが、遅延を使用すれば、信号の抽出を更に増強することができる。とは言え、遅延は、特定の用途の要件によっては、使用することができない場合もある。別の実施形態では、第２アンテナの指向性または偏波選択性のみを使用しても、変調信号を検出することができる。
【００２０】
別の実施形態では、サーキュレータ回路を第２アンテナの代わりに使用する。サーキュレータ回路は、第２アンテナからミキサ４６への入力を模した経路に給電する(feed)出力を有するように構成されている。
【００２１】
前述のように、逆変調技法を用いた最も効率的な通信方法は、送信する情報を含むパルスを非常に狭くすることである。これらのパルスの間隔およびタイミングは、送る情報またはデータを構成する。直接ダウン・コンバージョンに対する基準「低」と同等なのは、この場合実際の周囲スペクトルであり、しかもこれは非常に動的な基準であるので、変調のためのパルス幅を狭くすることを要件とすれば、実際のノイズ・フロアよりも高いデータ・エッジ間の相関を得ることができる。言い換えると、逆変調技法は、非常に狭いパルスを必要とするが、非常に高いデータ・レートが得られる。
【００２２】
前述のように、受信用通信装置は、非常に小さな時間遅延を使用して、これらの狭いパルス・データ・ビットを受ける技法を利用する。この小さな遅延を使用して、周囲環境スペクトルをそれ自体と比較する。図２に関連付けて説明した例では、ミキサ４６の一方の入力には、広帯域周囲環境スペクトルが供給され、ミキサ４６の他方の入力には、送信データのエッジおよびパルス速度に関連がある少量の時間だけ遅延した、同じスペクトルが供給される。
【００２３】
理想的には、フラクタル・アンテナの使用によって、非常に広い帯域幅の利点を得ることができ、これによって、確立する通信リンクに最大のエネルギを利用することが可能となる。
【００２４】
以上、本発明の代表的実施形態について図示し説明したが、本発明の精神および範囲から逸脱することなく、種々の変更も本発明では可能であることは理解されよう。例えば、多数のタグを使用して、変調信号を信号受信装置に同時に送信することができる。この実施形態では、ＣＤＭＡを使用すると、多数の通信装置から第２装置４０において受けた多数の信号を同時にデコードすることができる。したがって、本発明は、特許請求の範囲およびその均等物のみに限定されることとする。
【００２５】
通信システムの構成機器は、既知の技法にしたがって製造することができ、米国特許第６，２９１，８９６号、第６，２８１，０３８号、および第６，２７４，５０８号に開示されている流体自己組立プロセス(fluidic self-assembly process)を含む。これらの特許の全ては、その内容全体が、ここで言及したことにより、本願にも含まれることとする。
【００２６】
以上のことから、ここでは本発明の具体的な実施形態について例示の目的のために説明したが、本発明の範囲から逸脱することなく、種々の変更も可能であることは認められよう。したがって、本発明は、添付の特許請求の範囲およびその均等の範囲以外によっては、限定を受けるべきものではない。
【図面の簡単な説明】
【００２７】
【図１】図１は、基本的なＲＦＩＤシステムを示す図である。
【図２】図２は、本発明の一実施形態にしたがって形成した全スペクトル、受動通信システムを示す図である。
【図１】
2005536918.tif 000003
【図２】
2005536918.tif 000004
【手続補正書】
【提出日】平成16年8月31日(2004.8.31)
【手続補正１】
【補正対象書類名】特許請求の範囲
【補正対象項目名】全文
【補正方法】変更
【補正の内容】
【特許請求の範囲】
【請求項１】
周囲放射線を受けるように構成された第１広帯域アンテナと、周囲放射線を受けるように構成された第２アンテナと、前記第１および第２アンテナからのそれぞれの出力を供給される第１および第２入力を有するミキサと、前記ミキサに結合され、前記ミキサにおける前記第２アンテナからの出力を、比較および変調信号の抽出のため、前記第１アンテナからの出力に対して遅延させるように構成された遅延回路とを有する受動受信機を備えた、通信装置。
【請求項２】
請求項１記載の装置において、前記第１アンテナは第１偏波を有し、前記第２アンテナは第２偏波を有する、装置。
【請求項３】
請求項１記載の装置において、前記第１および第２アンテナは、同一であり、同じ方向に向けられている、装置。
【請求項４】
請求項１記載の装置において、前記第２アンテナは、前記周囲放射線における変調信号の検出を増強するために、方向選択性を有するように構成されている、装置。
【請求項５】
全スペクトル受動通信システムであって、
広帯域アンテナに結合され、周囲放射線を受け、それに応答して変調信号を反射するように構成された受動変調回路を備えた、第１受動通信装置と、
周囲放射線を受けるように構成された第１アンテナ回路と、周囲放射線を受けるように構成された第２アンテナ回路とに結合された検出回路を備えた第２受動通信装置であって、前記検出回路が、前記第１および第２アンテナ回路に結合されたミキサと、前記ミキサと前記第２アンテナ回路との間に結合された遅延回路とを備えており、前記検出回路が、前記第１および第２アンテナ回路において受けた信号を比較して、前記変調信号を抽出するように構成されている、第２受動通信装置と、
を備えた、全スペクトル受動通信システム。
【請求項６】
請求項５記載のシステムにおいて、前記第１および第２アンテナ回路は、逆の偏波を有するように極性が付与されている、システム。
【請求項７】
請求項５記載のシステムにおいて、前記第１受動通信装置の前記広帯域アンテナは、前記第２受動通信装置の前記第１および第２アンテナ回路の一方の偏波と一致するように極性が付与されている、システム。
【請求項８】
請求項５記載のシステムにおいて、前記第２アンテナは、前記変調信号の受信および検出を増強するために方向選択性を有する、システム。
【請求項９】
請求項５記載のシステムにおいて、前記第１および第２アンテナ回路は、方向選択性を有するように構成されている、システム。
【請求項１０】
請求項５記載のシステムにおいて、前記第２受動通信装置は、第１偏波アンテナと第２偏波アンテナとを備えており、前記第１偏波アンテナは、前記第２アンテナの偏波とは逆の偏波を有し、前記第１受動通信装置の前記アンテナは、前記第２受動受信機の前記第２アンテナの偏波を有する偏波アンテナを備えた、システム。
【請求項１１】
請求項５記載のシステムにおいて、前記第２受動通信装置は、ＣＤＭＡを使用して、検出アンテナ回路において受ける多数の変調信号を同時にデコードするように構成されている、システム。
【請求項１２】
通信方法であって、
広帯域アンテナ回路を有する第１受動装置において周囲放射線を受け、前記受けた放射線からのエネルギを利用して、変調信号を反射するステップと、
第２受動装置において、第１アンテナで前記周囲放射線を受け、第２アンテナで前記変調信号を受け、前記第２アンテナにおける前記変調信号を、前記第１アンテナからの出力に対して遅延させ、前記受けた周囲放射線からのエネルギを使用して、前記変調信号をそこから抽出するステップと、
前記第２受動装置から前記第１受動装置への後方散乱送信のため、前記周囲放射線から受けたエネルギを使用して、更に別の変調信号をそこから発生するステップと、
を備えた、方法。
【国際調査報告】
2005536918.tif 000005
2005536918.tif 000006